(57)【要約】【課題】従来、特定の機器間においてあらかじめ定められた通知コマンドを用いて相互に通知を行う方法が存在するが、このような通知方法においては、通知コマンドに対応していない機器に対しては通知を行うことができないという不都合があった。【解決手段】電子機器とＡＶ出力装置からなるＡＶシステムであって、電子機器は、ＡＶ出力装置の表示部への画像データ入力を自身が送信する画像データを入力するように切換えさせるための切換命令を送信した後、内部状態コードに応じて告知画像データを選択して送信し、ＡＶ出力装置は、送信される切換命令に応じて、選択切換可能な複数の画像データ入力口のうち電子機器から送信される画像データの入力のために接続された画像データ入力口を選択して表示部に切換え、入力される告知画像データにより告知画像を表示部に表示するＡＶシステムを提案する。【選択図】図１
2008245220.tif 000002
【特許請求の範囲】
【請求項１】
告知画像データを保持する告知画像データ保持部と、
内部状態コードに応じ前記告知画像データを選択して送信する告知画像データ送信部と、
告知画像データ送信部の前記送信に先立って、相手方ＡＶ出力装置の表示部への画像データ入力を告知画像データ送信部からの画像データを入力するように切換えさせるための命令である切換命令を送信する第一切換命令送信部と、
を有する電子機器と、
表示部に対して選択切換可能な画像データ入力口を複数有する画像データ入力部と、
前記切換命令を受信する第一切換命令受信部と、
受信した切換命令に応じて画像データ入力部の複数の画像データ入力口のうち前記電子機器の告知画像データ送信部に接続された画像データ入力口を選択して表示部に切換える第一入力口切換部と、
画像データ入力部から入力される告知画像データにより告知画像を表示するディスプレイを含む表示部と、
を有するＡＶ出力装置と、
からなるＡＶシステム。
【請求項２】
前記電子機器は、告知画像データ送信部の前記送信に先立って、相手方ＡＶ出力装置に対して電源ＯＮ命令を送信する第一電源ＯＮ命令送信部をさらに有する請求項１に記載のＡＶシステム。
【請求項３】
前記電子機器の第一切換命令送信部は、
相手方ＡＶ出力装置の表示部への画像データ入力を副画面又は分割画面にて表示するように切換えさせるための命令であるサブ画面切換命令を送信するサブ画面切換命令送信手段を有する請求項１又は２に記載のＡＶシステム。
【請求項４】
請求項１から３のいずれか一に記載の電子機器。
【請求項５】
告知コマンドを保持する第一告知コマンド保持部と、
告知コマンドを送信するための第一告知コマンド送信部と、
内部状態コードが所定のコードである場合には前記切換命令又は／及び告知画像データを送信しないで第一告知コマンド保持部に保持された告知コマンドを選択して第一告知コマンド送信部に送信させる制御をする第一制御部と、
をさらに有する請求項４に記載の電子機器。
【請求項６】
相手方ＡＶ出力装置が告知コマンドに対応しているか判断するための第一判断部と、
内部状態コードが所定のコードであり、かつ、第一判断部での判断結果が告知コマンドに対応しているとの判断結果である場合には前記切換命令又は／及び告知画像データを送信しないで第一告知コマンド保持部に保持された告知コマンドを選択して第一告知コマンド送信部に送信させる制御をする第二制御部と、
をさらに有する請求項５に記載の電子機器。
【請求項７】
ＡＶ出力装置と接続された電子機器において、相手方ＡＶ出力装置の表示部への画像データ入力を告知画像データ送信ステップにおいて送信される画像データを入力するように切換えさせるための命令である切換命令を送信する第一切換命令送信ステップと、
ＡＶ出力装置において、前記切換命令を受信する第一切換命令受信ステップと、
ＡＶ出力装置において、受信した切換命令に応じて表示部に対して選択切換可能な複数の画像データ入力口のうち前記電子機器における告知画像データ送信ステップにて送信される画像データの入力のために接続された画像データ入力口を選択して表示部に切換える第一入力口切換ステップと、
電子機器において、内部状態コードに応じ保持している告知画像データを選択して送信する告知画像データ送信ステップと、
ＡＶ出力装置において、画像データ入力口から入力される告知画像データにより告知画像を表示部に表示する表示ステップと、
を有するＡＶシステムの動作方法。
【請求項８】
告知音声データを保持する告知音声データ保持部と、
内部状態コードに応じ前記告知音声データを選択して送信する告知音声データ送信部と、
告知音声データ送信部の前記送信に先立って、相手方ＡＶ出力装置の音声出力部への音声データ入力を告知音声データ送信部からの音声データを入力するように切換えさせるための命令である切換命令を送信する第二切換命令送信部と、
を有する電子機器と、
音声出力部に対して選択切換可能な音声データ入力口を複数有する音声データ入力部と、
前記切換命令を受信する第二切換命令受信部と、
受信した切換命令に応じて音声データ入力部の複数の音声データ入力口のうち前記電子機器の告知音声データ送信部に接続された音声データ入力口を選択して音声出力部に切換える第二入力口切換部と、
音声データ入力部から入力される告知音声データにより告知音声を出力するスピーカを含む音声出力部と、
を有するＡＶ出力装置と、
からなるＡＶシステム。
【請求項９】
前記電子機器は、告知音声データ送信部の前記送信に先立って、相手方ＡＶ出力装置に対して電源ＯＮ命令を送信する第二電源ＯＮ命令送信部をさらに有する請求項８に記載のＡＶシステム。
【請求項１０】
前記電子機器の第二切換命令送信部は、
相手方ＡＶ出力装置の音声出力部への音声データ入力を副音声にて出力するように切換えさせるための命令であるサブ音声切換命令を送信するサブ音声切換命令送信手段を有する請求項８又は９に記載のＡＶシステム。
【請求項１１】
請求項８から１０のいずれか一に記載の電子機器。
【請求項１２】
告知コマンドを保持する第二告知コマンド保持部と、
告知コマンドを送信するための第二告知コマンド送信部と、
内部状態コードが所定のコードである場合には前記切換命令又は／及び告知音声データを送信しないで第二告知コマンド保持部に保持された告知コマンドを選択して第二告知コマンド送信部に送信させる制御をする第三制御部と、
をさらに有する請求項１１に記載の電子機器。
【請求項１３】
相手方ＡＶ出力装置が告知コマンドに対応しているか判断するための第二判断部と、
内部状態コードが所定のコードであり、かつ、第二判断部での判断結果が告知コマンドに対応しているとの判断結果である場合には前記切換命令又は／及び告知画像データを送信しないで第二告知コマンド保持部に保持された告知コマンドを選択して第二告知コマンド送信部に送信させる制御をする第四制御部と、
をさらに有する請求項１２に記載の電子機器。
【請求項１４】
ＡＶ出力装置と接続された電子機器において、相手方ＡＶ出力装置の音声出力部への音声データ入力を告知音声データ送信ステップにおいて送信される音声データを入力するように切換えさせるための命令である切換命令を送信する第二切換命令送信ステップと、
ＡＶ出力装置において、前記切換命令を受信する第二切換命令受信ステップと、
ＡＶ出力装置において、受信した切換命令に応じて音声出力部に対して選択切換可能な複数の音声データ入力口のうち前記電子機器における告知音声データ送信ステップにて送信される音声データの入力のために接続された音声データ入力口を選択して音声出力部に切換える第二入力口切換ステップと、
電子機器において、内部状態コードに応じ保持している告知音声データを選択して送信する告知音声データ送信ステップと、
ＡＶ出力装置において、音声データ入力口から入力される告知音声データにより告知音声を音声出力部に出力する出力ステップと、
を有するＡＶシステムの動作方法。
【発明の詳細な説明】
【技術分野】
【０００１】
ＤＶＤレコーダ等の電子機器においてユーザへの告知が必要である事象が発生した場合に、電子機器に接続されたＡＶ出力装置において映像や音声を鑑賞しているユーザに対して告知を行うための告知システムに関する。
【背景技術】
【０００２】
従来、ＤＶＤレコーダ等の電子機器において、ディスクの容量が不足している、ディスクが破損している、等のようにユーザに通知が必要である事象が発生した場合に、特定の機器間においてあらかじめ定められた通知コマンドを用いて相互に通知を行う方法が存在する（例えば、特許文献１）。
【特許文献１】特開平１０−１４５４０１号公報
【発明の開示】
【発明が解決しようとする課題】
【０００３】
しかしながら、従来のような通知コマンドを使用する通知方法においては、通知コマンドに対応していない（解釈できない）機器に対しては通知を行うことができないという不都合があった。また、通知コマンドを使用する代わりに、オンラインで映像や音声出力をしている場合には通知のための映像や音声を出力することにより通知する方法もあり得るが、オンラインになっていない場合には映像や音声で通知することはできない。
【課題を解決するための手段】
【０００４】
そこで本発明においては、電子機器とＡＶ出力装置からなるＡＶシステムであって、電子機器は、相手方ＡＶ出力装置の表示部への画像データ入力を自身が送信する画像データを入力するように切換えさせるための命令である切換命令を送信した後、内部状態コードに応じて保持している告知画像データを選択して送信し、ＡＶ出力装置は、表示部に対して選択切換可能な画像データ入力口を複数有するが、電子機器から送信される切換命令に応じて複数の画像データ入力口のうち前記電子機器から送信される画像データの入力のために接続された画像データ入力口を選択して表示部に切換え、入力される告知画像データにより告知画像を表示部に表示することを特徴とするＡＶシステムを提案する。また、前記電子機器は、告知画像データの送信に先立って、相手方ＡＶ出力装置に対して電源ＯＮ命令を送信するようになっていてもよい。また、前記電子機器は、切換命令の送信において、相手方ＡＶ出力装置の表示部への画像データ入力を副画面又は分割画面にて表示するように切換えさせるための命令であるサブ画面切換命令を送信するようになっていてもよい。また、電子機器は、内部状態コードが所定のコードである場合には切換命令又は／及び告知画像データを送信しないで保持している告知コマンドを選択して送信させる制御をするようになっていてもよい。また、電子機器は、相手方ＡＶ出力装置が告知コマンドに対応しているか判断し、内部状態コードが所定のコードであり、かつ、前記判断の判断結果が告知コマンドに対応しているとの判断結果である場合には切換命令又は／及び告知画像データを送信しないで保持している告知コマンドを選択して送信させる制御をするようになっていてもよい。
【０００５】
図１は、本発明に係るＡＶシステムの概念図である。図１においては、ＤＶＤレコーダ等の電子機器（０１０１）とデジタルテレビ等のＡＶ出力装置（０１０２）が接続されている場合を例示している。例えば、ユーザがデジタルテレビ（０１０２）において内蔵チューナにより受信したスポーツ番組を視聴していたとする（場面（ａ））。ここで、ＤＶＤレコーダ（０１０１）に対してリモコン（０１０４）で録画指示を送信した場合において、ＤＶＤレコーダ（０１０１）に挿入されていたＤＶＤメディアの容量が不足していたとすると、通常はＤＶＤレコーダ（０１０１）のＬＥＤランプ（０１０３）が点滅する等して知らせるだけであるが、デジタルテレビ（０１０２）でスポーツ番組を視聴しているユーザは気づかない場合もある。ここで、本発明においては、デジタルテレビ（０１０２）の映像入力ソースをＤＶＤレコーダ（０１０１）からの映像入力ソースに切換えるための切換命令をＤＶＤレコーダ（０１０１）からデジタルテレビ（０１０２）に対して送信し、映像入力ソースを切換えさせ、その後、ＤＶＤメディアの容量不足を告知するための告知画像データを送信する。これにより、デジタルテレビ（０１０２）のディスプレイにおいては視聴中のスポーツ番組に代わってＤＶＤレコーダ（０１０１）からの告知画像データに基づいた告知画像が表示される（画面（ｂ））。スポーツ番組を視聴していたユーザは、表示された告知画像によってＤＶＤメディアの容量が不足していることを知り、リモコン（０１０４）を操作する等して新しいＤＶＤメディアに交換したり、ＤＶＤメディアから不要なデータを削除する等の処理を行うことができる（場面（ｃ））。
【０００６】
また、本発明においては、前述した告知画像データの代わりに告知音声データを用いて告知を行うようになっていてもよい。すなわち、本発明のＡＶシステムは、電子機器は、相手方ＡＶ出力装置の音声出力部への音声データ入力を自身が送信する音声データを入力するように切換えさせるための命令である切換命令を送信した後、内部状態コードに応じて保持している告知音声データを選択して送信し、ＡＶ出力装置は、音声出力部に対して選択切換可能な音声データ入力口を複数有するが、電子機器から送信される切換命令に応じて複数の音声データ入力口のうち前記電子機器から送信される音声データの入力のために接続された音声データ入力口を選択して音声出力部に切換え、入力される告知音声データにより告知音声を音声出力部に出力するＡＶシステムであってもよい。
【発明の効果】
【０００７】
本発明のＡＶシステムによれば、電子機器の状態変化等によってユーザへの告知が必要となった場合には、告知画像データや告知音声データをＡＶ出力装置に送信することによって告知を行うため、従来の通知コマンドを利用した通知方法のようにあらかじめ電子機器とＡＶ出力装置との間でコマンド解釈等に関する設定等を行わずとも告知が可能である。すなわち、一般的なＡＶ出力装置が有する映像・音声入力用端子を切換えて告知画像データや告知音声データを送信することにより告知を行うため、一般的なＡＶ出力装置において告知が可能である。また、ＡＶ出力装置の画像データ入力口や音声データ入力口を電子機器が接続されている入力口に切換えさせる切換命令を出力してから告知画像データや告知音声データを出力するため、オンラインにて映像や音声の出力を行っていない場合であっても告知が可能である。
【発明を実施するための最良の形態】
【０００８】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、４、７、８、１１、１４などについて説明する。実施形態２は、主に請求項２、４、９、１１などについて説明する。実施形態３は、主に請求項３、４、１０、１１などについて説明する。実施形態４は、主に請求項５、１２などについて説明する。実施形態５は、主に請求項６、１３などについて説明する。
（実施形態１）
【０００９】
（実施形態１：概要）本実施形態は、電子機器とＡＶ出力装置からなるＡＶシステムであって、電子機器は、相手方ＡＶ出力装置の表示部への画像データ入力を自身が送信する画像データを入力するように切換えさせるための命令である切換命令を送信した後、内部状態コードに応じて保持している告知画像データを選択して送信し、ＡＶ出力装置は、表示部に対して選択切換可能な画像データ入力口を複数有するが、電子機器から送信される切換命令に応じて複数の画像データ入力口のうち前記電子機器から送信される画像データの入力のために接続された画像データ入力口を選択して表示部に切換え、入力される告知画像データにより告知画像を表示部に表示することを特徴とするＡＶシステムについて説明する。
【００１０】
（実施形態１：構成（１））本実施形態に係るＡＶシステムの機能ブロック図を図２に例示する。ＡＶシステムは、電子機器（０２００）とＡＶ出力装置（０２１０）とから構成される。以下、電子機器（０２００）とＡＶ出力装置（０２１０）の構成について説明する。
【００１１】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１２】
（実施形態１：電子機器の構成（１））電子機器（０２００）は、「告知画像データ保持部」（０２０１）と、「告知画像データ送信部」（０２０２）と、「第一切換命令送信部」（０２０３）と、有する。
【００１３】
「告知画像データ保持部」（０２０１）は、告知画像データを保持する。「告知画像データ」とは、電子機器の内部状態をＡＶ出力装置のユーザに告知するための画像を構成するデータであり、図１の（ｂ）や（ｃ）において図面中ディスプレイ（０１０２）に例示したような画像を構成するデータである。具体的には図４に示すような画像を構成するためのデータである。告知画像データは、従来からＤＶＤレコーダ等においてレコーダ自身の表示ディスプレイやＤＶＤレコーダ等と接続されている外部のディスプレイ装置などに表示していた告知用の画像データ（図４（ｂ））を利用してもよいし、ＡＶ出力装置に出力するための画像データ（図４（ａ））を別途、新たに生成してもよい。また、後述するように告知画像データ送信部（０２０２）においては、内部状態コードに応じて告知画像データを選択する。つまり、告知画像データは内部状態コードと関連づけられている。ここで、「内部状態コード」とは電子機器の内部状態を表すコードであり、内部状態とは電子機器において発生した何らかの状態（イベント）を指す。つまり、電子機器において何らかの状態（イベント）が発生すると、内部状態コードが発生（生成）し、もしくは変更されることにより電子機器の内部状態を表すことができる。図５は、内部状態コードの例である。「ＩＤ」は各レコードに自動的に付与されるシリアル番号であり、「内部状態」は「内部状態コード」で表される内部状態を示す。例えば、内部状態コード‘０１’はディスク容量不足であることを意味し、内部状態コード‘０２’はディスクが破損していることを意味する。また、図６は内部状態コードと告知画像データを関連づけるための情報である。「ＩＤ」は各レコードに自動的に付与されるシリアル番号であり、「告知画像データ」は「内部状態コード」に対応した告知画像データを示す。例えば、内部状態コード‘０１’が発生し、この時には告知画像データ送信部（０２０２）において告知画像データとして‘ｗａｒｎｉｎｇ＿０１．ｊｐｇ’が選択されることとなる。つまり、告知画像データ保持部は告知画像データとともに図６のような情報をデータベース等としてハードディスクや半導体メモリ等の記憶装置に記憶して保持する。
【００１４】
「告知画像データ送信部」（０２０２）は、内部状態コードに応じ前記告知画像データを選択して送信する。「内部状態コード」については、前述した通りである。すなわち、図６に例示したような情報によって内部状態コードと告知画像データは関連づけられているので、電子機器において内部状態が変化して内部状態コードが発生等すると、発生等した内部状態コードに応じて対応する告知画像データを選択してＡＶ出力装置に対して送信する。ＡＶ出力装置に送信する際には、直接ＡＶ出力装置に送信されてもよいし、別の装置が仲介してもよい。また、図６の内部状態コード‘０２’には対応した告知画像データが存在しない（０６０１）が、このような場合には、告知画像データを送信しないようになっていてもよいし、別途新たな告知画像データを生成して送信するようになっていてもよい。より具体的には、告知画像データ送信部は、例えば、内部状態コードが発生等したことをトリガーとして図６に例示したデータベース等に対して検索命令を実行する等して、内部状態コードに応じた告知画像データを抽出し、通信インタフェース等を介して出力する。
【００１５】
「第一切換命令送信部」（０２０３）は、告知画像データ送信部の前記送信に先立って、相手方ＡＶ出力装置の表示部への画像データ入力を告知画像データ送信部からの画像データを入力するように切換えさせるための命令である切換命令を送信する。「相手方ＡＶ出力装置」とは、電子機器と接続されているＡＶ出力装置であり、告知画像データを出力するＡＶ出力装置である。「相手方ＡＶ出力装置の表示部への画像データ入力を告知画像データ送信部からの画像データを入力するように切換えさせるための」とは、後述するように、ＡＶ出力装置（０２１０）は、表示部に対して選択切換可能な画像データ入力口を複数有しているので、画像データ入力口を介して表示部へ入力される画像データとして告知画像データが入力されるように画像データ入力口を切換えさせるという意味である。この点については、この後のＡＶ出力装置の構成についての説明において詳述する。また、図７は切換命令の一例を示す。‘ｓｏｕｒｃｅ＿ｃｈａｎｇｅ’はプログラム上における変数名であり、この変数の値が‘１’であればこの切換命令を出力した電子機器と接続している画像データ入力口に切換えることを意味する変数である。なお、切換命令は、ＡＶ出力装置も電子機器も対応している（解釈できる）規格であることが前提であり、例えば従来の通知コマンドを利用したものであってもよい。また、例えば近年よく使われているＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格は一般的なＡＶ出力装置が対応している規格であるので好都合である。第一切換命令送信部は、具体的には、例えば図７に例示したようなデータを通信インタフェース等を介して出力する機能を有する。
【００１６】
（実施形態１：ＡＶ出力装置の構成（１））ＡＶ出力装置（０２１０）は、「画像データ入力部」（０２１１）と、「第一切換命令受信部」（０２１２）と、「第一入力口切換部」（０２１３）と、「表示部」（０２１４）と、を有する。
【００１７】
「画像データ入力部」（０２１１）は、表示部に対して選択切換可能な画像データ入力口を複数有する。「表示部に対して選択切換可能な画像データ入力口」について、図８を用いて説明する。図８においては、ＡＶ出力装置０８０１に２台の電子機器（ＤＶＤレコーダなど）０８０２、０８０３が接続されている。電子機器０８０２は外部端子０８０４を介して接続されており、電子機器０８０３は外部端子０８０５を介して接続されており、各外部端子から入力された画像（映像）データはディスプレイ０８０８に出力される。また、ＡＶ出力装置０８０１は内蔵チューナ０８０７を有しており、チューナ０８０７で受信された映像は画像データ入力機構０８０６を介してディスプレイ０８０８へ接続される。このような構成において、「画像データ入力口」とは、外部端子０８０４、０８０５、画像データ入力機構０８０６が該当する（０８０９）。つまり、画像データ入力口とは、表示部に対して画像（映像）を入力するための入力機構を意味しており、ＡＶ出力装置の外部と接続されるもののみならず、内部においてディスプレイへ表示するために画像（映像）データを仲介する入力機構なども含む意味である。また、これらの画像データ入力口は、例えばスイッチ構造０８１０によって切換えられるようになっており、いずれかの画像データ入力口がディスプレイ（表示部）０８０８に接続されるようになっている。なお、このスイッチ構造０８１０は後述する第一入力口切換部（０２１３）に該当する。また、図８に示した構成は一例であり、図８の構成に限定するものではない。
【００１８】
「第一切換命令受信部」（０２１２）は、前記切換命令を受信する。「前記切換命令」とは、電子機器の第一切換命令送信部（０２０３）から送信された切換命令を指す。すなわち、第一切換命令受信部は、図７に例示したような切換命令を、通信インタフェース等を介して受信する機能を有する。
【００１９】
「第一入力口切換部」（０２１３）は、受信した切換命令に応じて画像データ入力部の複数の画像データ入力口のうち前記電子機器の告知画像データ送信部に接続された画像データ入力口を選択して表示部に切換える。「受信した切換命令」とは、第一切換命令受信部にて受信した切換命令を指す。「前記電子機器の告知画像データ送信部に接続された画像データ入力口」とは、例えば、図８において本実施形態に係る電子機器が電子機器０８０２であるとすると、接続されている画像データ入力口０８０４が該当する。すなわち、図８を例にとると、第一入力口切換部は電子機器からの切換命令を受信するとスイッチ０８１０を画像データ入力口０８０４に切換える処理を行う。
【００２０】
図９は、第一入力口切換部における処理の具体例を示す。図９に例示するＡＶ出力装置の構造は図８に例示した構造と同様である。ＡＶ出力装置０９０１には２つの電子機器（ＤＶＤレコーダなど）０９０２、０９０３が、それぞれ画像データ入力口０９０４、０９０５を介して接続されている。ここで、本実施形態に係る電子機器は０９０２であるとする。また、ＡＶ出力装置０９０１は内蔵チューナ０９０７を有しており、チューナ０９０７で受信された映像は画像データ入力口０９０６を介してディスプレイ０９０８へ接続される。このような構造のＡＶ出力装置０９０１において、最初に、チューナ０９０７で受信された映像がディスプレイ０９０８に表示されるように、スイッチ構造によって画像データ入力口０９０６がディスプレイ（表示部）０９０８に接続されているとする（場面（ａ））。ここで、本実施形態に係る電子機器０９０２から送信された切換命令がＡＶ出力装置０９０１で受信されたことにより、電子機器０９０２の告知画像データ送信部０９０９に接続されている画像データ入力口０９０４が選択されディスプレイ０９０８へ接続される。この後、電子機器０９０２の告知画像データ送信部０９０９から告知画像データが送信されることにより、ＡＶ出力装置０９０１のディスプレイ０９０８には告知画像データが表示されることとなる（場面（ｂ））。
【００２１】
「表示部」（０２１４）は、画像データ入力部から入力される告知画像データにより告知画像を表示するディスプレイを含む。「画像データ入力部から入力される告知画像データにより告知画像を表示する」とは、画像データ入力部から入力される告知画像データにより実現される告知画像をそのまま表示してもよいし、告知画像データにより実現される告知画像にリサイズ、トリミング、色変換、等の画像加工をしてから表示してもよい、との意味である。
【００２２】
また、ここまでは電子機器の内部状態をユーザに告知するために告知画像を表示する場合を説明したが、告知画像に代えて告知音声を用いて告知する場合であっても、同様の効果がある。以下、告知音声を用いた告知方法について説明する。なお、告知音声を用いる場合のＡＶシステムの仕組みも、原理的には告知画像を用いる場合のＡＶシステムの仕組みと同様であるので、異なる部分についてのみ、以下、説明する。
【００２３】
（実施形態１：構成（２））告知音声を用いる場合のＡＶシステムの機能ブロック図を図３に例示する。ＡＶシステムは、電子機器（０３００）とＡＶ出力装置（０３１０）とから構成される。
【００２４】
（実施形態１：電子機器の構成（２））電子機器（０３００）は、「告知音声データ保持部」（０３０１）と、「告知音声データ送信部」（０３０２）と、「第二切換命令送信部」（０３０３）と、有する。
【００２５】
「告知音声データ保持部」（０３０１）は、告知音声データを保持する。告知音声データ保持部の機能は、前述した告知画像データ保持部（０２０１）の機能と同様である。ただし、告知画像データに代えて告知音声データを保持する点が異なる。
【００２６】
「告知音声データ送信部」（０３０２）は、内部状態コードに応じ前記告知音声データを選択して送信する。告知音声データ送信部の機能は、前述した告知画像データ送信部（０２０２）の機能と同様である。ただし、告知画像データに代えて告知音声データを送信する点が異なる。
【００２７】
「第二切換命令送信部」（０３０３）は、告知音声データ送信部の前記送信に先立って、相手方ＡＶ出力装置の音声出力部への音声データ入力を告知音声データ送信部からの音声データを入力するように切換えさせるための命令である切換命令を送信する。「相手方ＡＶ出力装置の音声出力部への音声データ入力を告知音声データ送信部からの音声データを入力するように切換えさせるための」とは、後述するように、ＡＶ出力装置（０３１０）は、音声出力部に対して選択切換可能な音声データ入力口を複数有しているので、音声データ入力口を介して音声出力部へ入力される音声データとして告知音声データが入力されるように音声データ入力口を切換えさせるという意味である。その他の点については、前述した第一切換命令送信部（０２０３）の機能と同様である。
【００２８】
（実施形態１：ＡＶ出力装置の構成（２））ＡＶ出力装置（０３１０）は、「音声データ入力部」（０３１１）と、「第二切換命令受信部」（０３１２）と、「第二入力口切換部」（０３１３）と、「音声出力部」（０３１４）と、を有する。
【００２９】
「音声データ入力部」（０３１１）は、音声出力部に対して選択切換可能な音声データ入力口を複数有する。「音声データ入力口」については、図８にて説明した画像データ入力口と同様に音声出力部に対して音声を入力するための入力機構を意味しており、ＡＶ出力装置の外部と接続されるもののみならず、内部においてスピーカへ出力するために音声データを仲介する入力機構なども含む意味である。また、これらの複数の音声データ入力口は、例えばスイッチ構造によって切換えられるようになっており、いずれかの音声データ入力口がスピーカ（音声出力部）に接続されるようになっている。なお、このスイッチ構造は後述する第二入力口切換部（０３１３）に該当する。
【００３０】
「第二切換命令受信部」（０３１２）は、前記切換命令を受信する。第二切換命令受信部の機能は、前述した第一切換命令受信部（０２１２）の機能と同様である。
【００３１】
「第二入力口切換部」（０３１３）は、受信した切換命令に応じて音声データ入力部の複数の音声データ入力口のうち前記電子機器の告知音声データ送信部に接続された音声データ入力口を選択して音声出力部に切換える。第二入力口切換部の機能は、前述した第一入力口切換部（０２１３）の機能と同様である。ただし、画像データ入力口に代えて音声データ入力口を切換えて音声出力部に接続させる点が異なる。
【００３２】
「音声出力部」（０３１４）は、音声データ入力部から入力される告知音声データにより告知音声を出力するスピーカを含む。「音声データ入力部から入力される告知音声データにより告知音声を表示する」とは、音声データ入力部から入力される告知音声データにより実現される告知音声をそのまま出力してもよいし、告知音声データにより実現される告知音声に対して音質を変更するなどの加工をしてから出力してもよい、との意味である。
【００３３】
また、本実施形態に係るＡＶシステムでは、図１０に示すように（１）から（４）までの４つの処理パターンが考えられる。（１）のパターンは、電子機器１００１に対してユーザがリモコン１００３等を用いて録画指示などを行う。この時、ＡＶ出力装置１００２はすでに電源がＯＮになっており（１００４）、ユーザからの録画指示により発生した電子機器１００１の内部状態コードに応じて告知画像（音声）データがＡＶ出力装置１００２に出力される。（２）のパターンは、電子機器１００１に対してユーザがリモコン１００３等を用いて録画指示などを行う。この時、ＡＶ出力装置１００２は電源がＯＦＦ（スタンバイ状態）となっており（１００５）、この状態を電子機器１００１にて検出することにより、まずＡＶ出力装置１００２の電源をＯＮにする命令をＡＶ出力装置１００２に対して送信する。その後、ユーザからの録画指示により発生した電子機器１００１の内部状態コードに応じて告知画像（音声）データがＡＶ出力装置１００２に出力される。（３）のパターンは、ＡＶ出力装置１００２に対してユーザがリモコン１００３等を用いて録画指示などを行う。この時、電子機器１００１はすでに電源がＯＮになっており（１００６）、ＡＶ出力装置１００２はユーザからの録画指示を電子機器１００１に送信する。その後、ユーザからの録画指示により発生した電子機器１００１の内部状態コードに応じて告知画像（音声）データがＡＶ出力装置１００２に出力される。（４）のパターンは、ＡＶ出力装置１００２に対してユーザがリモコン１００３等を用いて録画指示などを行う。この時、電子機器１００１は電源がＯＦＦ（スタンバイ状態）となっており（１００７）、この状態をＡＶ出力装置１００２にて検出することにより、まず電子機器１００１の電源をＯＮにする命令を電子機器１００１に対して送信する。さらに、ＡＶ出力装置１００２はユーザからの録画指示を電子機器１００１に送信する。その後、ユーザからの録画指示により発生した電子機器１００１の内部状態コードに応じて告知画像（音声）データがＡＶ出力装置１００２に出力される。
【００３４】
（実施形態１：電子機器のハードウェア上における処理）図１１は、本実施形態に係る電子機器のハードウェア上における処理の具体例を示す。まず、ハードディスクや半導体メモリ等の記憶装置には、告知画像データが図６に例示したような情報とともに保持されている。電子機器の内部状態が変化したことにより新たな内部状態コード（１１０１）が生成されると、切換命令（１１０２）が生成され、メインメモリに格納される（１１０３）。メインメモリに格納された切換命令は、出力インタフェースを介してＡＶ出力装置に出力される（１１０４）。次に、生成された内部状態コード（１１０１）に応じて告知画像データが選択され（１１０５）、出力インタフェースを介して出力される（１１０６）。
【００３５】
なお、図１１を用いて説明したハードウェア上の処理はあくまで処理の概要を説明するものである。（明細書の全体を通じて同様である。）
【００３６】
（実施形態１：ＡＶ出力装置のハードウェア上における処理）図１２は、本実施形態に係るＡＶ出力装置のハードウェア上における処理の具体例を示す。電子機器から出力された切換命令は、コマンド入力インタフェースを介して受信され、メインメモリに格納される（１２０１）。メインメモリに格納された切換命令はＣＰＵにて解釈され（１２０２）、複数の画像データ入力口を切換えるための切換実行命令（１２０３）が生成される。生成された切換実行命令によって、画像データ入力口が、電子機器が接続されている画像データ入力口（映像入力インタフェース）に切換えられる（１２０４）。その後、電子機器から出力された告知画像データ（１２０５）が映像入力インタフェースを介して受信され、受信された告知画像データ（１２０５）に基づいてＶｉｄｅｏ  ＲＡＭ（以下、「ＶＲＡＭ」という）にてディスプレイに出力するための描画データ（告知画像）（１２０６）が生成され、ディスプレイにて出力される（１２０７）。
【００３７】
なお、図１１と図１２では告知画像により告知を行うＡＶシステムにおける処理について説明したが、告知音声により告知を行うＡＶシステムにおける処理も同様である。（明細書の全体を通じて同様である。）
【００３８】
（実施形態１：処理の流れ）図１３は、本実施形態に係る告知画像により告知を行うＡＶシステムにおける処理の流れを示すシーケンス図を例示する。
【００３９】
最初に、電子機器にて切換命令を送信する（Ｓ１３０１）。また、ＡＶ出力装置にて電子機器から出力された切換命令を受信する（Ｓ１３０２）。受信した切換命令に応じて、画像データ入力口を切換える（Ｓ１３０３）。その後、電子機器にて内部状態コードに応じて告知画像データが選択され（Ｓ１３０４）、選択された告知画像データが送信される（Ｓ１３０５）。ＡＶ出力装置にて、電子機器から送信された告知画像データを受信する（Ｓ１３０６）。受信した告知画像データに基づいて告知画像を表示する（Ｓ１３０７）。また、ステップＳ１３０３における画像データ入力口の切換処理が完了した場合には、その旨の通知が電子機器に送信されるようになっていてもよい（Ｓ１３１１）。この通知が電子機器からの切換命令送信後、所定時間内に送信されてこなければ、電子機器にて警告音を出力する、切換命令を再送信する、告知画像データを選択して送信してしまう、等となっていてもよい。さらに、切換命令を再送信しても所定時間内に通知が送信されてこない場合や、切換命令を所定回数、再送信しても所定時間内に送信されてこない場合には、告知画像データを選択して送信してしまうようになっていてもよい。
【００４０】
図１４は、本実施形態に係る告知音声により告知を行うＡＶシステムにおける処理の流れを示すシーケンス図を例示する。
【００４１】
最初に、電子機器にて切換命令を送信する（Ｓ１４０１）。また、ＡＶ出力装置にて電子機器から出力された切換命令を受信する（Ｓ１４０２）。受信した切換命令に応じて、音声データ入力口を切換える（Ｓ１４０３）。その後、電子機器にて内部状態コードに応じて告知音声データが選択され（Ｓ１４０４）、選択された告知音声データが送信される（Ｓ１４０５）。ＡＶ出力装置にて、電子機器から送信された告知音声データを受信する（Ｓ１４０６）。受信した告知音声データに基づいて告知音声を出力する（Ｓ１４０７）。また、ステップＳ１４０３における音声データ入力口の切換処理が完了した場合には、その旨の通知が電子機器に送信されるようになっていてもよい（Ｓ１４１１）。この通知が電子機器からの切換命令送信後、所定時間内に送信されてこなければ、電子機器にて警告音を出力する、切換命令を再送信する、告知音声データを選択して送信してしまう、等となっていてもよい。さらに、切換命令を再送信しても所定時間内に通知が送信されてこない場合や、切換命令を所定回数、再送信しても所定時間内に送信されてこない場合には、告知音声データを選択して送信してしまうようになっていてもよい。
【００４２】
なお、図１３、図１４のシーケンス図は、計算機に実行させるプログラムの処理フロー図とみなすことも可能である。さらに、このようなプログラムをフレキシブルディスク等の媒体に記録することも可能である。（明細書の全体を通じて同様である。）
【００４３】
（実施形態１：効果）本実施形態に係るＡＶシステムによれば、電子機器の状態変化等によってユーザへの告知が必要となった場合には、告知画像データや告知音声データをＡＶ出力装置に送信することによって告知を行うため、従来の通知コマンドを利用した通知方法のようにあらかじめ電子機器とＡＶ出力装置との間でコマンド解釈等に関する設定等を行わずとも告知が可能である。また、ＡＶ出力装置の画像データ入力口や音声データ入力口を電子機器が接続されている入力口に切換えさせる切換命令を出力してから告知画像データや告知音声データを出力するため、オンラインにて映像や音声の出力を行っていない場合であっても告知が可能である。
（実施形態２）
【００４４】
（実施形態２：概要）本実施形態は、前記電子機器が、告知画像データの送信に先立って、相手方ＡＶ出力装置に対して電源ＯＮ命令を送信することを特徴とするＡＶシステムについて説明する。
【００４５】
（実施形態２：構成（１））本実施形態に係るＡＶシステムの機能ブロック図を図１５に例示する。ＡＶシステムは、電子機器（１５００）とＡＶ出力装置（１５１０）とから構成される。以下、電子機器（１５００）とＡＶ出力装置（１５１０）の構成について説明する。
【００４６】
（実施形態２：電子機器の構成（１））電子機器（１５００）は、「告知画像データ保持部」（１５０１）と、「告知画像データ送信部」（１５０２）と、「第一切換命令送信部」（１５０３）と、「第一電源ＯＮ命令送信部」（１５０４）と、有する。「第一電源ＯＮ命令送信部」（１５０４）以外の構成については前述した通りであるので、ここでの説明は省略する。
【００４７】
「第一電源ＯＮ命令送信部」（１５０４）は、告知画像データ送信部の前記送信に先立って、相手方ＡＶ出力装置に対して電源ＯＮ命令を送信する。「前記送信」とは、告知画像データの送信を指す。「電源ＯＮ命令」とは、ＡＶ出力装置の電源をＯＮとするための命令である。すなわち、第一電源ＯＮ命令送信部は、ＡＶ出力装置の電源がＯＦＦとなっている場合に電源ＯＮ命令を送信してＡＶ出力装置の電源をＯＮにする役目を果たす。また、ここでの「ＡＶ出力装置の電源がＯＦＦ」とは、電源ＯＮ命令は受信できるが、画像データや音声データは受信できないような状態であることを意味している。例えば、主電源はＯＮであるが休止モード（いわゆる、「スタンバイモード」、「サスペンドモード」などと言われるモード）になっているような場合を想定している。また、電源ＯＮ命令は、ＡＶ出力装置も電子機器も対応している（解釈できる）規格の命令であることが前提であり、例えば従来の通知コマンドを利用したものであってもよい。また、例えば近年よく使われているＨＤＭＩ規格は一般的なＡＶ出力装置が対応している規格であるので好都合である。また、電源ＯＮ命令は、電子機器からＡＶ出力装置の電源がＯＮであるかＯＦＦであるかを確認するための別のコマンドを送信する等してＡＶ出力装置の電源状態を確認し、電源がＯＦＦになっている場合にのみ電源ＯＮ命令を送信するようになっていてもよい。もしくは、ＡＶ出力装置の電源状態に関わらず、告知画像データ送信部（１５０２）にて告知画像データを送信する前に必ず送信するようになっていてもよい。また、電源ＯＮ命令を送信するタイミングは、少なくとも告知画像データを送信する前であればよく、切換命令を送信する前であってもよいし、切換命令を送信した後であって告知画像データを送信する前であってもよい。
【００４８】
図１７は、第一電源ＯＮ命令送信部における処理の具体例を示す。まず、電子機器（１７０１）と接続されているＡＶ出力装置（１７０２）の電源がＯＦＦであるとする（場面（ａ））。ここで、電子機器（１７０１）からＡＶ出力装置（１７０２）に対して電源ＯＮ命令（１７０３）が送信されるとＡＶ出力装置（１７０２）の電源がＯＮとなり表示部に接続されている画像データ入力口からの画像（映像）が映し出される（場面（ｂ））。その後、電子機器（１７０１）からＡＶ出力装置（１７０２）に対して告知画像データ（１７０４）が送信され、ＡＶ出力装置（１７０２）の表示部に告知画像が映し出される（場面（ｃ））。なお、ＡＶ出力装置（１７０２）の表示部については、直接、場面（ａ）の状態から場面（ｃ）の状態に切り替わってももちろん構わない。
【００４９】
（実施形態２：ＡＶ出力装置の構成（１））ＡＶ出力装置（１５１０）は、「画像データ入力部」（１５１１）と、「第一切換命令受信部」（１５１２）と、「第一入力口切換部」（１５１３）と、「表示部」（１５１４）と、を有する。ＡＶ出力装置の構成については前述した通りであるので、ここでの説明は省略する。
【００５０】
以上、告知画像を用いるＡＶ出力装置について説明した。以下、告知音声を用いるＡＶ出力装置について説明する。
【００５１】
（実施形態２：構成（２））告知音声を用いる場合のＡＶシステムの機能ブロック図を図１６に例示する。ＡＶシステムは、電子機器（１６００）とＡＶ出力装置（１６１０）とから構成される。
【００５２】
（実施形態２：電子機器の構成（２））電子機器（１６００）は、「告知音声データ保持部」（１６０１）と、「告知音声データ送信部」（１６０２）と、「第二切換命令送信部」（１６０３）と、「第二電源ＯＮ命令送信部」（１６０４）と、有する。「第二電源ＯＮ命令送信部」（１６０４）以外の構成については前述した通りであるので、ここでの説明は省略する。
【００５３】
「第二電源ＯＮ命令送信部」（１６０４）は、告知音声データ送信部の前記送信に先立って、相手方ＡＶ出力装置に対して電源ＯＮ命令を送信する。第二電源ＯＮ命令送信部の機能は、前述した第一電源ＯＮ命令送信部（１５０４）の機能と同様である。ただし、告知音声データ送信部の前記送信に代えて、告知音声データ送信部の前記送信に先立って電源ＯＮ命令を送信する点が異なる。
【００５４】
（実施形態２：ＡＶ出力装置の構成（２））ＡＶ出力装置（１６１０）は、「音声データ入力部」（１６１１）と、「第二切換命令受信部」（１６１２）と、「第二入力口切換部」（１６１３）と、「音声出力部」（１６１４）と、を有する。ＡＶ出力装置の構成については前述した通りであるので、ここでの説明は省略する。
【００５５】
（実施形態２：電子機器のハードウェア上における処理）図１８は、本実施形態に係る電子機器のハードウェア上における処理の具体例を示す。まず、ＣＰＵにおいて電源ＯＮ命令が生成され（１８０１）、メインメモリに格納される（１８０２）。メインメモリに格納された電源ＯＮ命令は、出力インタフェースを介して出力される（１８０３）。また、前述したようにＣＰＵにおいて電源ＯＮ命令が生成される前に、ＡＶ出力装置に対して電源がＯＮになっているか否かを確認する確認コマンド等を送信する等してＡＶ出力装置の状態を確認し、電源がＯＦＦになっている場合にのみ電源ＯＮ命令を生成するようになっていてもよい。
【００５６】
（実施形態２：ＡＶ出力装置のハードウェア上における処理）図１９は、本実施形態に係るＡＶ出力装置のハードウェア上における処理の具体例を示す。電子機器から出力された電源ＯＮ命令はコマンド入力インタフェースを介して受信され、メインメモリに格納される（１９０１）。メインメモリに格納された電源ＯＮ命令はＣＰＵにて解釈され（１９０２）、例えば休止モードから通常モードへ起動するための電源ＯＮ実行命令（１９０３）が生成される。生成された電源ＯＮ実行命令が実行されることによって通常モードとなり、ディスプレイ等に映像が出力される（１９０４）。
【００５７】
（実施形態２：処理の流れ）図２０は、本実施形態に係る告知画像により告知を行うＡＶシステムにおける処理の流れを示すシーケンス図を例示する。
【００５８】
最初に、電子機器にて電源ＯＮ命令を送信する（Ｓ２００８）。また、ＡＶ出力装置にて電子機器から出力された電源ＯＮ命令を受信し（Ｓ２００９）、電源ＯＮの状態となる（Ｓ２０１０）。次に、電子機器にて切換命令を送信する（Ｓ２００１）。また、ＡＶ出力装置にて電子機器から出力された切換命令を受信する（Ｓ２００２）。受信した切換命令に応じて、画像データ入力口を切換える（Ｓ２００３）。その後、電子機器にて内部状態コードに応じて告知画像データが選択され（Ｓ２００４）、選択された告知画像データが送信される（Ｓ２００５）。ＡＶ出力装置にて、電子機器から送信された告知画像データを受信する（Ｓ２００６）。受信した告知画像データに基づいて告知画像を表示する（Ｓ２００７）。また、ステップＳ２００３における画像データ入力口の切換処理が完了した場合には、その旨の通知が電子機器に送信されるようになっていてもよい（Ｓ２０１１）。この点については、図１３にて説明したステップＳ１３１１と同様である。また、ステップＳ２０１０においてＡＶ出力装置の電源がＯＮとなった場合には、その旨の通知が電子機器に送信されるようになっていてもよい（Ｓ２０１２）。この通知が電子機器からの電源ＯＮ命令送信後、所定時間内に送信されてこなければ、電子機器にて警告音を出力する、電源ＯＮ命令を再送信する、切換命令を送信してしまう、等となっていてもよい。ＡＶ出力装置が電源ＯＮとなっても通知を行うように設定されていない場合もあるからである。さらに、電源ＯＮ命令を再送信しても所定時間内に通知が送信されてこない場合や、電源ＯＮ命令を所定回数、再送信しても所定時間内に送信されてこない場合には、切換命令を送信してしまうようになっていてもよい。
【００５９】
図２１は、本実施形態に係る告知音声により告知を行うＡＶシステムにおける処理の流れを示すシーケンス図を例示する。
【００６０】
最初に、電子機器にて電源ＯＮ命令を送信する（Ｓ２１０８）。また、ＡＶ出力装置にて電子機器から出力された電源ＯＮ命令を受信し（Ｓ２１０９）、電源ＯＮの状態となる（Ｓ２１１０）。次に、電子機器にて切換命令を送信する（Ｓ２１０１）。また、ＡＶ出力装置にて電子機器から出力された切換命令を受信する（Ｓ２１０２）。受信した切換命令に応じて、音声データ入力口を切換える（Ｓ２１０３）。その後、電子機器にて内部状態コードに応じて告知音声データが選択され（Ｓ２１０４）、選択された告知音声データが送信される（Ｓ２１０５）。ＡＶ出力装置にて、電子機器から送信された告知音声データを受信する（Ｓ２１０６）。受信した告知音声データに基づいて告知音声を出力する（Ｓ２１０７）。また、ステップＳ２１０３における音声データ入力口の切換処理が完了した場合には、その旨の通知が電子機器に送信されるようになっていてもよい（Ｓ２１１１）。この点については、図１４にて説明したステップＳ１４１１と同様である。また、ステップＳ２１１０においてＡＶ出力装置の電源がＯＮとなった場合には、その旨の通知が電子機器に送信されるようになっていてもよい（Ｓ２１１２）。この通知が電子機器からの電源ＯＮ命令送信後、所定時間内に送信されてこなければ、電子機器にて警告音を出力する、電源ＯＮ命令を再送信する、切換命令を送信してしまう、等となっていてもよい。ＡＶ出力装置が電源ＯＮとなっても通知を行うように設定されていない場合もあるからである。さらに、電源ＯＮ命令を再送信しても所定時間内に通知が送信されてこない場合や、電源ＯＮ命令を所定回数、再送信しても所定時間内に送信されてこない場合には、切換命令を送信してしまうようになっていてもよい。
【００６１】
（実施形態２：効果）本実施形態に係るＡＶシステムによれば、ＡＶ出力装置の電源がＯＦＦとなっている場合であっても、電子機器から電源ＯＮ命令を送信することによりＡＶ出力装置の電源をＯＮにし、告知画像データや告知音声データをＡＶ出力装置にて出力させることができる。
（実施形態３）
【００６２】
（実施形態３：概要）本実施形態は、前記電子機器は、切換命令の送信において、相手方ＡＶ出力装置の表示部への画像データ入力を副画面又は分割画面にて表示するように切換させるための命令であるサブ画面切換命令を送信することを特徴とするＡＶシステムについて説明する。
【００６３】
（実施形態３：構成（１））本実施形態に係るＡＶシステムの機能ブロック図を図２２に例示する。ＡＶシステムは、電子機器（２２００）とＡＶ出力装置（２２１０）とから構成される。以下、電子機器（２２００）とＡＶ出力装置（２２１０）の構成について説明する。
【００６４】
（実施形態３：電子機器の構成（１））電子機器（２２００）は、「告知画像データ保持部」（２２０１）と、「告知画像データ送信部」（２２０２）と、「第一切換命令送信部」（２２０３）と、有する。また、第一切換命令送信部（２２０３）は「サブ画像切換命令送信手段」（２２０５）を有する。また、電子機器（２２００）は、さらに第一電源ＯＮ命令送信部を有していてもよい。「サブ画像切換命令送信手段」（２２０５）以外の構成については前述した通りであるので、ここでの説明は省略する。
【００６５】
「サブ画像切換命令送信手段」（２２０５）は、相手方ＡＶ出力装置の表示部への画像データ入力を副画面又は分割画面にて表示するように切換えさせるための命令であるサブ画面切換命令を送信する。「副画面」とはユーザが視聴中の映像を表示している画面内に小さな別の画面を表示する場合を意味し、「分割画面」とはディスプレイ全体をユーザが視聴中の映像を表示する画面と告知画像を表示する画面とに分割する場合を意味する。
【００６６】
図２４は、サブ画像切換命令送信手段の具体例を示す。まず、電子機器（２４０１）と接続されているＡＶ出力装置（２４０２）にて電子機器（２４０１）以外からの映像が出力されているとする（場面（ａ））。ここで、電子機器（２４０１）からＡＶ出力装置（２４０２）に対してサブ画面切換命令（２４０３）が送信されるとＡＶ出力装置（２４０２）の表示部（ディスプレイ）が上下２つの画面（２４０４、２４０５）に分割され、上部の画面（２４０４）に今まで出力されていた映像が出力される（場面（ｂ））。その後、電子機器（２４０１）からＡＶ出力装置（２４０２）に対して告知画像データ（２４０６）が送信され、ＡＶ出力装置（２４０２）の表示部の下部の画面（２４０５）に告知画像が表示される（場面（ｃ））。
【００６７】
（実施形態３：ＡＶ出力装置の構成（１））ＡＶ出力装置（２２１０）は、「画像データ入力部」（２２１１）と、「第一切換命令受信部」（２２１２）と、「第一入力口切換部」（２２１３）と、「表示部」（２２１４）と、を有する。ＡＶ出力装置の構成については前述した通りであるので、ここでの説明は省略する。
【００６８】
以上、告知画像を用いるＡＶ出力装置について説明した。以下、告知音声を用いるＡＶ出力装置について説明する。
【００６９】
（実施形態３：構成（２））告知音声を用いる場合のＡＶシステムの機能ブロック図を図２３に例示する。ＡＶシステムは、電子機器（２３００）とＡＶ出力装置（２３１０）とから構成される。
【００７０】
（実施形態３：電子機器の構成（２））電子機器（２３００）は、「告知音声データ保持部」（２３０１）と、「告知音声データ送信部」（２３０２）と、「第二切換命令送信部」（２３０３）と、を有する。また、第二切換命令送信部（２３０３）は「サブ音声切換命令送信手段」（２３０５）を有する。また、電子機器（２３００）は、さらに第二電源ＯＮ命令送信部を有していてもよい。「サブ音声切換命令送信手段」（２３０５）以外の構成については前述した通りであるので、ここでの説明は省略する。
【００７１】
「サブ音声切換命令送信手段」（２３０５）は、相手方ＡＶ出力装置の音声出力部への音声データ入力を副音声にて出力するように切換えさせるための命令であるサブ音声切換命令を送信する。サブ音声切換命令送信手段の機能は、前述したサブ画面切換命令（２２０５）の機能と同様である。ただし、サブ画像切換命令に代えて、サブ音声切換命令を送信する点が異なる。
【００７２】
（実施形態３：ＡＶ出力装置の構成（２））ＡＶ出力装置（２３１０）は、「音声データ入力部」（２３１１）と、「第二切換命令受信部」（２３１２）と、「第二入力口切換部」（２３１３）と、「音声出力部」（２３１４）と、を有する。ＡＶ出力装置の構成については前述した通りであるので、ここでの説明は省略する。
【００７３】
（実施形態３：電子機器のハードウェア上における処理）図２５は、本実施形態に係る電子機器のハードウェア上における処理の具体例を示す。まず、ハードディスクや半導体メモリ等の記憶装置には、告知画像データが図６に例示したような情報とともに保持されている。電子機器の内部状態が変化したことにより新たな内部状態コード（２５０１）が生成されると、サブ画面切換命令を含む切換命令（２５０２）が生成され、メインメモリに格納される（２５０３）。メインメモリに格納された切換命令は、出力インタフェースを介してＡＶ出力装置に出力される（２５０４）。次に、生成された内部状態コード（２５０１）に応じて告知画像データが選択され（２５０５）、出力インタフェースを介して出力される（２５０６）。
【００７４】
（実施形態３：ＡＶ出力装置のハードウェア上における処理）図２６は、本実施形態に係るＡＶ出力装置のハードウェア上における処理の具体例を示す。電子機器から出力されたサブ画面切換命令を含む切換命令は、コマンド入力インタフェースを介して受信され、メインメモリに格納される（２６０１）。メインメモリに格納された切換命令はＣＰＵにて解釈され（２６０２）、複数の画像データ入力口を切換えるための切換実行命令（２６０３）と表示部を副画面又は分割画面とするための画面切換命令（２６０８）が生成される。まず、生成された切換実行命令によって、画像データ入力口が、電子機器が接続されている画像データ入力口（映像入力インタフェース）に切換えられる（２６０４）。その後、電子機器から出力された告知画像データ（２６０５）が映像入力インタフェースを介して受信される。受信された告知画像データ（２６０５）と、ＣＰＵにて生成された画面切換命令に基づいて（２６０９）、ＶＲＡＭにて、告知画像を副画面又は分割画面にてディスプレイに表示するための描画データ（告知画像）（２６０６）が生成され、ディスプレイにて出力される（２６０７）。
【００７５】
（実施形態３：処理の流れ）図２７は、本実施形態に係る告知画像により告知を行うＡＶシステムにおける処理の流れを示すシーケンス図を例示する。
【００７６】
最初に、電子機器にてサブ画面切換命令を含む切換命令を送信する（Ｓ２７０１）。また、ＡＶ出力装置にて電子機器から出力されたサブ画面切換命令を含む切換命令を受信する（Ｓ２７０２）。受信した切換命令に応じて、画像データ入力口を切換える（Ｓ２７０３）。その後、電子機器にて内部状態コードに応じて告知画像データが選択され（Ｓ２７０４）、選択された告知画像データが送信される（Ｓ２７０５）。ＡＶ出力装置にて、電子機器から送信された告知画像データを受信する（Ｓ２７０６）。受信した告知画像データと、ステップＳ２７０２にて受信したサブ画面切換命令とに基づいて副画面又は分割画面にて告知画像を表示する（Ｓ２７０７）。また、ステップＳ２７０３における画像データ入力口の切換処理が完了した場合には、その旨の通知が電子機器に送信されるようになっていてもよい（Ｓ２７１１）。この点については、図１３にて説明したステップＳ１３１１と同様である。
【００７７】
図２８は、本実施形態に係る告知音声により告知を行うＡＶシステムにおける処理の流れを示すシーケンス図を例示する。
【００７８】
最初に、電子機器にてサブ音声切換命令を含む切換命令を送信する（Ｓ２８０１）。また、ＡＶ出力装置にて電子機器から出力されたサブ音声切換命令を含む切換命令を受信する（Ｓ２８０２）。受信した切換命令に応じて、音声データ入力口を切換える（Ｓ２８０３）。その後、電子機器にて内部状態コードに応じて告知音声データが選択され（Ｓ２８０４）、選択された告知音声データが送信される（Ｓ２８０５）。ＡＶ出力装置にて、電子機器から送信された告知音声データを受信する（Ｓ２８０６）。受信した告知音声データと、ステップＳ２８０２にて受信したサブ音声切換命令とに基づいて副音声にて告知音声を出力する（Ｓ２８０７）。また、ステップＳ２８０３における音声データ入力口の切換処理が完了した場合には、その旨の通知が電子機器に送信されるようになっていてもよい（Ｓ２８１１）。この点については、図１４にて説明したステップＳ１４１１と同様である。
【００７９】
（実施形態３：効果）本実施形態に係るＡＶシステムによれば、ＡＶ出力装置にて告知画像又は告知音声を出力する際には、画面を分割したり、副音声にて出力することにより、ユーザが視聴中の映像や音声を中断せずに済むという効果がある。
（実施形態４）
【００８０】
（実施形態４：概要）本実施形態は、内部状態コードが所定のコードである場合には切換命令又は／及び告知画像データを送信しないで保持している告知コマンドを選択して送信させる制御をすることを特徴とする電子機器について説明する。
【００８１】
（実施形態４：構成（１））本実施形態に係る電子機器の機能ブロック図を図２９に例示する。電子機器（２９００）は、「告知画像データ保持部」（２９０１）と、「告知画像データ送信部」（２９０２）と、「第一切換命令送信部」（２９０３）と、「第一告知コマンド保持部」（２９０６）と、「第一告知コマンド送信部」（２９０７）と、「第一制御部」（２９０８）と、有する。また、第一切換命令送信部（２９０３）は、さらにサブ画像切換命令送信手段を有していてもよい。また、電子機器（２９００）は、さらに第一電源ＯＮ命令送信部を有していてもよい。「第一告知コマンド保持部」（２９０６）と、「第一告知コマンド送信部」（２９０７）と、「第一制御部」（２９０８）以外の構成については前述した通りであるので、ここでの説明は省略する。
【００８２】
「第一告知コマンド保持部」（２９０６）は、告知コマンドを保持する。「告知コマンド」とは、電子機器の内部状態をＡＶ出力装置のユーザに告知するためのコマンドである。なお、告知コマンドはＡＶ出力装置も電子機器も対応している（解釈できる）規格のコマンドであることが前提であり、例えば従来の通知コマンドを利用したものであってもよい。また、例えば近年よく使われているＨＤＭＩ規格は一般的なＡＶ出力装置が対応している規格であるので好都合である。図３１は、告知コマンドの例である。「ＩＤ」は各レコードに自動的に付与されるシリアル番号であり、「告知内容」は「告知コマンド」で表される告知内容である。例えば、告知コマンド‘ｅｖｅｎｔ０１’はディスク容量不足であることを意味し、告知コマンド‘ｅｖｅｎｔ０２’はディスクが破損していることを意味する。第一告知コマンド保持部は図３１のような情報をデータベース等としてハードディスクや半導体メモリ等の記憶装置に記憶して保持する。
【００８３】
「第一告知コマンド送信部」（２９０７）は、告知コマンドを送信するための機能を有する。また、この時、図５に例示したような内部状態コードに応じて告知コマンドが出力されるようになっていてもよい。この場合には、図３２のような内部状態コードと告知コマンドを関連づけるための情報がデータベース等としてハードディスクや半導体メモリ等の記憶装置に保持されていることが想定される。「ＩＤ」は各レコードに自動的に付与されるシリアル番号であり、「告知コマンド」は「内部状態コード」に対応した告知コマンドを示す。例えば、内部状態コード‘０１’が発生し、この時には第一告知コマンド送信部では告知コマンドとして‘ｅｖｅｎｔ０１’が選択されて送信されることとなる。なお、告知コマンドをＡＶ出力装置に送信する際には、直接ＡＶ出力装置に送信されてもよいし、別の装置が仲介してもよい。
【００８４】
「第一制御部」（２９０８）は、内部状態コードが所定のコードである場合には前記切換命令又は／及び告知画像データを送信しないで第一告知コマンド保持部に保持された告知コマンドを選択して第一告知コマンド送信部に送信させる制御をする。例えば、電子機器の状態が変化して新たな内部状態コード‘０２’が生成されたとすると、図６に例示した情報によれば、内部状態コード‘０２’に対応する告知画像データは存在しない（０６０１）。よって、図３２に例示した情報により、内部状態コード‘０２’に対応する告知コマンド‘ｅｖｅｎｔ０２’（３２０１）を選択して第一告知コマンド送信部（２９０７）に送信させるように制御する。このような制御を行うメリットは、告知画像データをＡＶ出力装置に送信してディスプレイ等に出力させる場合、図１に例示したようにユーザが視聴している映像を中断させたり、図２４に例示したようにユーザが視聴している映像が小さくなってしまうという不都合も生じるため、例えばディスクが破損している場合等はユーザに告知画像では告知をせず、ディスクをＤＶＤレコーダ（電子機器）の挿入口から送出し、ＡＶ出力装置には告知コマンドのみを出力するようになっていると、ユーザは映像の視聴を邪魔されることがないというメリットがある。すなわち、前記切換命令又は／及び告知画像データを送信しない場合の「所定の内部状態コード」とは、告知されてもユーザが対応することができない不可避な事象や、ユーザに指示を仰がずとも電子機器が自動的に制御すれば問題ない事象などが起こった場合の内部状態コードであることが想定される。
【００８５】
以上、告知画像データを送信する電子機器について説明した。以下、告知音声を送信する電子機器について説明する。
【００８６】
（実施形態４：構成（２））告知音声データを送信する場合の電子機器の機能ブロック図を図３０に例示する。電子機器（３０００）は、「告知音声データ保持部」（３００１）と、「告知音声データ送信部」（３００２）と、「第二切換命令送信部」（３００３）と、「第二告知コマンド送信部」（３００７）と、「第三制御部」（３００８）と、有する。また、第二切換命令送信部（３００３）は、さらにサブ音声切換命令送信手段を有していてもよい。また、電子機器（３０００）は、さらに第二電源ＯＮ命令送信部を有していてもよい。「第二告知コマンド保持部」（３００６）と、「第二告知コマンド送信部」（３００７）と、「第三制御部」（３００８）以外の構成については前述した通りであるので、ここでの説明は省略する。
【００８７】
「第二告知コマンド保持部」（３００６）は、告知コマンドを保持する。第二告知コマンド保持部の機能は、前述した第一告知コマンド保持部（２９０６）の機能と同様である。
【００８８】
「第二告知コマンド送信部」（３００７）は、告知コマンドを送信するための機能を有する。第二告知コマンド送信部の機能は、前述した第一告知コマンド送信部（２９０７）の機能と同様である。
【００８９】
「第三制御部」（３００８）は、内部状態コードが所定のコードである場合には前記切換命令又は／及び告知音声データを送信しないで第二告知コマンド保持部に保持された告知コマンドを選択して第二告知コマンド送信部に送信させる制御をする。第三制御部の機能は、前述した第一制御部（２９０８）の機能と同様である。ただし、告知画像データに代えて告知音声データを扱う点が異なる。
【００９０】
（実施形態４：ハードウェア上における処理）図３３は、本実施形態に係る電子機器のハードウェア上における処理の具体例を示す。まず、ハードディスクや半導体メモリ等の記憶装置には、告知画像データが図６に例示したような情報とともに保持されている。また、告知コマンドも図３２に例示したような情報とともに保持されている。電子機器の内部状態が変化したことにより新たな内部状態コード（３３０１）が生成されると、記憶装置に保持されている情報に問い合わせ（３３０２）、生成された内部状態コード（３３０１）に対応する告知画像データを抽出するが、対応する告知画像データが存在しない場合には、対応する告知コマンドを抽出してメインメモリに格納する（３３０３）。メインメモリに格納された告知コマンドは、出力インタフェースを介してＡＶ出力装置に出力される（３３０４）。
【００９１】
（実施形態４：処理の流れ）図３４は、本実施形態に係る告知画像データを送信する電子機器における処理の流れを示すフロー図を例示する。
【００９２】
最初に、内部状態コードが所定のコードであるか判断する（Ｓ３４０１）。内部状態コードが所定のコードであった場合には、告知コマンドを選択して（Ｓ３４０２）、選択した告知コマンドを送信する（Ｓ３４０３）。内部状態コードが所定のコードではなかった場合には、切換命令を送信する（Ｓ３４０４）。次に、内部状態コードに応じて告知画像データを選択し（Ｓ３４０５）、選択した告知画像データを送信する（Ｓ３４０６）。
【００９３】
図３５は、本実施形態に係る告知音声データを送信する電子機器における処理の流れを示すフロー図を例示する。
【００９４】
最初に、内部状態コードが所定のコードであるか判断する（Ｓ３５０１）。内部状態コードが所定のコードであった場合には、告知コマンドを選択して（Ｓ３５０２）、選択した告知コマンドを送信する（Ｓ３５０３）。内部状態コードが所定のコードではなかった場合には、切換命令を送信する（Ｓ３５０４）。次に、内部状態コードに応じて告知音声データを選択し（Ｓ３５０５）、選択した告知音声データを送信する（Ｓ３５０６）。
【００９５】
（実施形態４：効果）本実施形態に係る電子機器によれば、電子機器にて発生した内部状態コードが所定のコードである場合には告知画像データに代えて告知コマンドを送信するため、ユーザの映像や音声の視聴を妨げることを極力避けることができるという効果がある。
（実施形態５）
【００９６】
（実施形態５：概要）本実施形態は、相手方ＡＶ出力装置が告知コマンドに対応しているか判断し、内部状態コードが所定のコードであり、かつ、前記判断の判断結果が告知コマンドに対応しているとの判断結果である場合には切換命令又は／及び告知画像データを送信しないで保持している告知コマンドを選択して送信させる制御をすることを特徴とする電子機器について説明する。
【００９７】
（実施形態５：構成（１））本実施形態に係る電子機器の機能ブロック図を図３６に例示する。電子機器（３６００）は、「告知画像データ保持部」（３６０１）と、「告知画像データ送信部」（３６０２）と、「第一切換命令送信部」（３６０３）と、「第一告知コマンド保持部」（３６０６）と、「第一告知コマンド送信部」（３６０７）と、「第一制御部」（３６０８）と、「第一判断部」（３６０９）と、「第二制御部」（３６１０）と、を有する。また、第一切換命令送信部（３６０３）は、さらにサブ画像切換命令送信手段を有していてもよい。また、電子機器（３６００）は、さらに第一電源ＯＮ命令送信部を有していてもよい。「第一判断部」（３６０９）と、「第二制御部」（３６１０）以外の構成については前述した通りであるので、ここでの説明は省略する。
【００９８】
「第一判断部」（３６０９）は、相手方ＡＶ出力装置が告知コマンドに対応しているか判断するための機能を有する。具体的には、例えばＡＶ出力装置に対して告知コマンドに対応しているかを確認するための確認コマンドを送信し、ＡＶ出力装置から対応している旨の返信コマンドを受信するか否かによって判断する場合が想定される。この場合には、電子機器とＡＶ出力装置との間で相手から確認コマンドを受信して解釈することができた場合には返信コマンドを返す等という処理についての規約があらかじめなされていることが前提となる。
【００９９】
「第二制御部」（３６１０）は、内部状態コードが所定のコードであり、かつ、第一判断部での判断結果が告知コマンドに対応しているとの判断結果である場合には前記切換命令又は／及び告知画像データを送信しないで第一告知コマンド保持部に保持された告知コマンドを選択して第一告知コマンド送信部に送信させる制御をする。つまり、告知コマンドを送信してもＡＶ出力装置側で解釈できなければ意味がないため、ＡＶ出力装置が告知コマンドに対応している場合にのみ告知コマンドを送信するようにしたものである。それ以外の機能については、前述の第一制御部の機能と同様である。
【０１００】
以上、告知画像データを送信する電子機器について説明した。以下、告知音声を送信する電子機器について説明する。
【０１０１】
（実施形態４：構成（２））告知音声データを送信する場合の電子機器の機能ブロック図を図３７に例示する。電子機器（３７００）は、「告知音声データ保持部」（３７０１）と、「告知音声データ送信部」（３７０２）と、「第二切換命令送信部」（３７０３）と、「第二告知コマンド保持部」（３７０６）と、「第二告知コマンド送信部」（３７０７）と、「第三制御部」（３７０８）と、「第二判断部」（３７０９）と、「第四制御部」（３７１０）と、を有する。また、第二切換命令送信部（３７０３）は、さらにサブ音声切換命令送信手段を有していてもよい。また、電子機器（３７００）は、さらに第二電源ＯＮ命令送信部を有していてもよい。「第二判断部」（３７０９）と、「第四制御部」（３７１０）以外の構成については前述した通りであるので、ここでの説明は省略する。
【０１０２】
「第二判断部」（３７０９）は、相手方ＡＶ出力装置が告知コマンドに対応しているか判断するための機能を有する。第二判断部の機能は、前述した第一判断部（３６０９）の機能と同様である。
【０１０３】
「第四制御部」（３７１０）は、内部状態コードが所定のコードであり、かつ、第二判断部での判断結果が告知コマンドに対応しているとの判断結果である場合には前記切換命令又は／及び告知画像データを送信しないで第二告知コマンド保持部に保持された告知コマンドを選択して第二告知コマンド送信部に送信させる制御をする。第四制御部の機能は、前述した第二制御部（３６１０）の機能と同様である。
【０１０４】
（実施形態５：ハードウェア上における処理）図３８は、本実施形態に係る電子機器のハードウェア上における処理の具体例を示す。まず、ハードディスクや半導体メモリ等の記憶装置には、告知画像データが図６に例示したような情報とともに保持されている。また、告知コマンドも図３２に例示したような情報とともに保持されている。また、相手方ＡＶ出力装置が告知コマンドに対応しているか判断するための判断プログラム（判断Ｐ）が保持されている。電子機器の内部状態が変化したことにより新たな内部状態コード（３８０１）が生成されると、記憶装置に保持されている情報に問い合わせ（３８０５）、生成された内部状態コード（３８０１）に対応する告知画像データを抽出するが、対応する告知画像データが存在しない場合には、判断プログラムがメインメモリに展開され（３８０２）、入出力インタフェースを介して確認コマンド（３８０３）がＡＶ出力装置に対して出力される。確認コマンド（３８０３）の返信としてＡＶ出力装置から入出力インタフェースを介して受信した結果データはメインメモリに格納される（３８０４）。この結果データがＡＶ出力装置が告知コマンドに対応している旨を示すデータであった場合には、記憶装置に保持されている情報に基づいて、生成された内部状態コード（３８０１）に対応する告知コマンドを抽出してメインメモリに格納する（３８０６）。メインメモリに格納された告知コマンドは、入出力インタフェースを介してＡＶ出力装置に出力される（３３０７）。
【０１０５】
（実施形態５：処理の流れ）図３９は、本実施形態に係る告知画像データを送信する電子機器における処理の流れを示すフロー図を例示する。
【０１０６】
最初に、内部状態コードが所定のコードであるか判断する（Ｓ３９０１）。内部状態コードが所定のコードであった場合には、ステップＳ３９０７に移行する。内部状態コードが所定のコードではなかった場合には、ステップＳ３９０４に移行する。ステップＳ３９０７では、相手方ＡＶ出力装置が告知コマンドに対応しているか判断する（Ｓ３９０７）。告知コマンドに対応している場合には、告知コマンドを選択して（Ｓ３９０２）、選択した告知コマンドを送信する（Ｓ３９０３）。告知コマンドに対応していない場合には、処理を終了する。また、ステップＳ３９０４では、切換命令を送信する（Ｓ３９０４）。その後、内部状態コードに応じて告知画像データを選択し（Ｓ３９０５）、選択した告知画像データを送信する（Ｓ３９０６）。
【０１０７】
図４０は、本実施形態に係る告知音声データを送信する電子機器における処理の流れを示すフロー図を例示する。
【０１０８】
最初に、内部状態コードが所定のコードであるか判断する（Ｓ４００１）。内部状態コードが所定のコードであった場合には、ステップＳ４００７に移行する。内部状態コードが所定のコードではなかった場合には、ステップＳ４００４に移行する。ステップＳ４００７では、相手方ＡＶ出力装置が告知コマンドに対応しているか判断する（Ｓ４００７）。告知コマンドに対応している場合には、告知コマンドを選択して（Ｓ４００２）、選択した告知コマンドを送信する（Ｓ４００３）。告知コマンドに対応していない場合には、処理を終了する。また、ステップＳ４００４では、切換命令を送信する（Ｓ４００４）。その後、内部状態コードに応じて告知音声データを選択し（Ｓ４００５）、選択した告知音声データを送信する（Ｓ４００６）。
【０１０９】
（実施形態５：効果）本実施形態に係る電子機器によれば、相手方ＡＶ出力装置が告知コマンドに対応している場合のみ告知コマンドを送信するので、ＡＶ出力装置が告知コマンドに対応していない場合には無意味となってしまう送信処理を省くことができる。
【図面の簡単な説明】
【０１１０】
【図１】本発明に係るＡＶシステムの概念図
【図２】実施形態１に係るＡＶシステムの機能ブロック図
【図３】実施形態１に係るＡＶシステムの機能ブロック図
【図４】告知画像データの一例図
【図５】内部状態コードの一例図
【図６】告知画像データ保持部にて保持される情報の一例図
【図７】切換命令の一例図
【図８】画像データ入力口について説明する図
【図９】第一入力口切換部における処理の一例図
【図１０】実施形態１に係るＡＶシステムにおける処理パターンを説明する図
【図１１】実施形態１に係る電子機器のハードウェア上における処理の一例図
【図１２】実施形態１に係るＡＶ出力装置のハードウェア上における処理の一例図
【図１３】実施形態１に係るＡＶシステムの処理の流れを示すシーケンス図
【図１４】実施形態１に係るＡＶシステムの処理の流れを示すシーケンス図
【図１５】実施形態２に係るＡＶシステムの機能ブロック図
【図１６】実施形態２に係るＡＶシステムの機能ブロック図
【図１７】第一電源ＯＮ命令送信部における処理の一例図
【図１８】実施形態２に係る電子機器のハードウェア上における処理の一例図
【図１９】実施形態２に係るＡＶ出力装置のハードウェア上における処理の一例図
【図２０】実施形態２に係るＡＶシステムの処理の流れを示すシーケンス図
【図２１】実施形態２に係るＡＶシステムの処理の流れを示すシーケンス図
【図２２】実施形態３に係るＡＶシステムの機能ブロック図
【図２３】実施形態３に係るＡＶシステムの機能ブロック図
【図２４】サブ画面切換命令送信部における処理の一例図
【図２５】実施形態３に係る電子機器のハードウェア上における処理の一例図
【図２６】実施形態３に係るＡＶ出力装置のハードウェア上における処理の一例図
【図２７】実施形態３に係るＡＶシステムの処理の流れを示すシーケンス図
【図２８】実施形態３に係るＡＶシステムの処理の流れを示すシーケンス図
【図２９】実施形態４に係る電子機器の機能ブロック図
【図３０】実施形態４に係る電子機器の機能ブロック図
【図３１】告知コマンドの一例図
【図３２】告知コマンドとともに保持される情報の一例図
【図３３】実施形態４に係る電子機器のハードウェア上における処理の一例図
【図３４】実施形態４に係る電子機器の処理の流れを示すフロー図
【図３５】実施形態４に係る電子機器の処理の流れを示すフロー図
【図３６】実施形態５に係る電子機器の機能ブロック図
【図３７】実施形態５に係る電子機器の機能ブロック図
【図３８】実施形態５に係る電子機器のハードウェア上における処理の一例図
【図３９】実施形態５に係る電子機器の処理の流れを示すフロー図
【図４０】実施形態５に係る電子機器の処理の流れを示すフロー図
【符号の説明】
【０１１１】
０１０１  ＤＶＤレコード（電子機器）
０１０２  デジタルテレビ（ＡＶ出力装置）
０１０３  ＬＥＤランプ
０１０４  リモコン
０２００  電子機器
０２０１  告知画像データ保持部
０２０２  告知画像データ送信部
０２０３  第一切換命令送信部
０２１０  ＡＶ出力装置
０２１１  画像データ入力部
０２１２  第一切換命令受信部
０２１３  第一入力口切換部
０２１４  表示部
【図１】
2008245220.tif 000003
【図２】
2008245220.tif 000004
【図３】
2008245220.tif 000005
【図４】
2008245220.tif 000006
【図５】
2008245220.tif 000007
【図６】
2008245220.tif 000008
【図７】
2008245220.tif 000009
【図８】
2008245220.tif 000010
【図９】
2008245220.tif 000011
【図１０】
2008245220.tif 000012
【図１１】
2008245220.tif 000013
【図１２】
2008245220.tif 000014
【図１３】
2008245220.tif 000015
【図１４】
2008245220.tif 000016
【図１５】
2008245220.tif 000017
【図１６】
2008245220.tif 000018
【図１７】
2008245220.tif 000019
【図１８】
2008245220.tif 000020
【図１９】
2008245220.tif 000021
【図２０】
2008245220.tif 000022
【図２１】
2008245220.tif 000023
【図２２】
2008245220.tif 000024
【図２３】
2008245220.tif 000025
【図２４】
2008245220.tif 000026
【図２５】
2008245220.tif 000027
【図２６】
2008245220.tif 000028
【図２７】
2008245220.tif 000029
【図２８】
2008245220.tif 000030
【図２９】
2008245220.tif 000031
【図３０】
2008245220.tif 000032
【図３１】
2008245220.tif 000033
【図３２】
2008245220.tif 000034
【図３３】
2008245220.tif 000035
【図３４】
2008245220.tif 000036
【図３５】
2008245220.tif 000037
【図３６】
2008245220.tif 000038
【図３７】
2008245220.tif 000039
【図３８】
2008245220.tif 000040
【図３９】
2008245220.tif 000041
【図４０】
2008245220.tif 000042